(57)【要約】【課題】装飾部材に補助遊技装置を簡単に着脱し得ると共に、該補助遊技装置を交換する際のコストや廃棄物を低減し得る遊技機を提供する。【解決手段】遊技盤の盤面に配設した装飾部材２７に可視表示部１４を設け、該可視表示部１４に主たる遊技演出を行なう図柄表示装置を臨ませる。そして、ベルト式図柄表示装置２０を収容したユニットケース２１を、該ベルト式図柄表示装置２０の表示部３５を視認可能なケース側視認部２１ｂと装飾カバー３０のカバー側視認部３０ｂとを整合させた状態で、該装飾カバー３０の前側に取付手段４１を介して取り付けた状態で、固定手段４３を介して当該装飾カバー３０を装飾部材２７に取り付け固定するようにした。【選択図】  図１
2004344412.tif 000002
【特許請求の範囲】
【請求項１】
遊技盤の盤面に配設され、可視表示部を設けた装飾部材と、前記遊技盤の後側に配設され、前記装飾部材の可視表示部に臨ませた主たる遊技演出を行なう図柄表示装置と、前記図柄表示装置の補助としての遊技演出を行なう補助遊技装置とからなる遊技機において、
前記補助遊技装置を収容可能で、該補助遊技装置の表示部を視認させ得るケース側視認部を有するユニットケースと、
前記ユニットケースのケース側視認部に整合可能なカバー側視認部を有する装飾カバーと、
前記ケース側視認部およびカバー側視認部を整合させた状態で、前記ユニットケースを前記装飾カバーの後側に着脱可能に取り付ける取付手段と、
前記装飾カバーを前記装飾部材に前側から着脱可能に取り付けて固定する固定手段とを備え、
前記取付手段を介して前記ユニットケースを後側に取り付けた前記装飾カバーを、前記固定手段を介して前記装飾部材に取り付けるよう構成した
ことを特徴とする遊技機。
【請求項２】
前記ケース側視認部は、前記ユニットケースに開設された第１の開口部であり、前記装飾カバーは、該装飾カバーを前記装飾部材に取り付けた際に、前記ユニットケースの前面に当接する当接面と、この当接面に形成されて前記第１の開口部と整合する前記カバー側視認部としての第２の開口部と、該第２の開口部の内部輪郭に沿って後側に突出形成されて前記第１の開口部の内側面に当接する突片部とを備え、前記当接面と突片部とにより前記装飾カバーに対してユニットケースが位置決めされる請求項１記載の遊技機。
【請求項３】
前記補助遊技装置の後部に、該補助遊技装置を制御する制御手段を接続可能な接続部が設けられ、前記ユニットケースおよび装飾部材の後側に対応して設けた各開放部を介して、該接続部を外部に露出させるようにした請求項１または２記載の遊技機。
【請求項４】
前記ユニットケースは、外部から前記補助遊技装置を視認可能な透明部材で形成される請求項１〜３の何れかに記載の遊技機。
【請求項５】
前記装飾カバーは、前記カバー側視認部の下方位置から後方に向かって延出し、前記ユニットケースの下面を支持する下側規制部と、前記カバー側視認部の上方位置から後方に向かって延出し、該ユニットケースの上面に当接して当該ユニットケースの上方への移動を規制する上側規制部とを備えている請求項１〜４の何れかに記載の遊技機。
【請求項６】
前記装飾カバーは、前記カバー側視認部を挟む両側に、後方に向けて突出する一対の突部を備え、前記ユニットケースは、前記一対の突部と前後に整列する位置に、該突部を挿入可能な凹部を有し、前記装飾カバーの後側に前記ユニットケースを取り付けた際に、前記各突部の後端部が前記凹部の奥側に当接するよう構成されている請求項１〜５の何れかに記載の遊技機。
【発明の詳細な説明】
【０００１】
【発明の属する技術分野】
この発明は、遊技機に関し、更に詳細には、主たる遊技演出を行なう図柄表示装置と、補助としての遊技演出を行なう補助遊技装置とを備える遊技機に関するものである。
【０００２】
【従来の技術】
例えば、代表的な遊技機であるパチンコ機やアレンジボール機等は、機内にセットされる遊技盤上の遊技領域の所要位置に、数字や文字等の識別可能な図柄を変動表示して主たる遊技演出を行なう図柄表示装置が配設されている。この図柄表示装置は、遊技状態に対応して種々の遊技演出（リーチ演出や大当り演出等）を行ない、遊技機の興趣を増大させ得るよう構成される。なお、前記図柄表示装置は、該図柄表示装置における演出態様に合わせたデザインの装飾部材により装飾され、当該図柄表示装置での演出効果を向上させている。更に、前記図柄表示装置による演出と併せて、補助的な遊技演出を行なう補助遊技装置が配設された遊技機も提案されている（例えば、特許文献１参照）。前記補助遊技装置としては、例えば小型の回転表示体を備えたドラム式遊技装置等を前記図柄表示装置の上方に配設し、該図柄表示装置の変動表示に併せて回転表示体を回転させて遊技演出するものがある。
【０００３】
【特許文献１】
特開２００２−３４６１２６号公報
【０００４】
【発明が解決しようとする課題】
ところで、前述した補助遊技装置は、前記図柄表示装置を装飾する装飾部材に形成した支軸を介して前記回転表示体が取り付けられると共に、該回転表示体の駆動源としての駆動モータも該装飾部材に固定している。このように、前記補助遊技装置は、前記図柄表示装置を装飾する装飾部材に直接固定されており、該装飾部材と一体的に取り扱われる。このため、前記補助遊技装置に故障等が生じて該補助遊技装置を交換する場合には、前記装飾部材も併せて交換する必要があり、交換作業に係るコストや廃棄物が増大する問題が指摘される。
【０００５】
【発明の目的】
本発明は、前述した従来の技術に内在している前記課題に鑑み、これを好適に解決するべく提案されたものであって、装飾部材に補助遊技装置を簡単に着脱し得ると共に、該補助遊技装置を交換する際のコストや廃棄物を低減し得る遊技機を提供することを目的とする。
【０００６】
【課題を解決するための手段】
前記課題を克服し、所期の目的を好適に達成するため、本発明に係る遊技機は、
遊技盤（Ｊ）の盤面に配設され、可視表示部（１４）を設けた装飾部材（２７）と、前記遊技盤（Ｊ）の後側に配設され、前記装飾部材（２７）の可視表示部（１４）に臨ませた主たる遊技演出を行なう図柄表示装置（Ｋ）と、前記図柄表示装置（Ｋ）の補助としての遊技演出を行なう補助遊技装置（２０）とからなる遊技機において、
前記補助遊技装置（２０）を収容可能で、該補助遊技装置（２０）の表示部（３５）を視認させ得るケース側視認部（２１ｂ）を有するユニットケース（２１）と、
前記ユニットケース（２１）のケース側視認部（２１ｂ）に整合可能なカバー側視認部（３０ｂ）を有する装飾カバー（３０）と、
前記ケース側視認部（２１ｂ）およびカバー側視認部（３０ｂ）を整合させた状態で、前記ユニットケース（２１）を前記装飾カバー（３０）の後側に着脱可能に取り付ける取付手段（４１）と、
前記装飾カバー（３０）を前記装飾部材（２７）に前側から着脱可能に取り付けて固定する固定手段（４３）とを備え、
前記取付手段（４１）を介して前記ユニットケース（２１）を後側に取り付けた前記装飾カバー（３０）を、前記固定手段（４３）を介して前記装飾部材（２７）に取り付けるよう構成したことを特徴とする。
【０００７】
また、前記ケース側視認部（２１ｂ）は、前記ユニットケース（２１）に開設された第１の開口部（２１ｂ）であり、前記装飾カバー（３０）は、該装飾カバー（３０）を前記装飾部材（２７）に取り付けた際に、前記ユニットケース（２１）の前面に当接する当接面（３０ａ）と、この当接面（３０ａ）に形成されて前記第１の開口部（２１ｂ）と整合する前記カバー側視認部（３０ｂ）としての第２の開口部（３０ｂ）と、該第２の開口部（３０ｂ）の内部輪郭に沿って後側に突出形成されて前記第１の開口部（２１ｂ）の内側面に当接する突片部（３０ｃ）とを備え、前記当接面（３０ａ）と突片部（３０ｃ）とにより前記装飾カバー（３０）に対してユニットケース（２１）が位置決めされる。
【０００８】
更に、前記補助遊技装置（２０）の後部に、該補助遊技装置（２０）を制御する制御手段を接続可能な接続部（３３ａ）が設けられ、前記ユニットケース（２１）および装飾部材（２７）の後側に対応して設けた各開放部（２４，２５ａ）を介して、該接続部（３３ａ）を外部に露出させるようにした。
【０００９】
更にまた、前記ユニットケース（２１）は、外部から前記補助遊技装置（２０）を視認可能な透明部材で形成される。
【００１０】
そして、前記装飾カバー（３０）は、前記カバー側視認部（３０ｂ）の下方位置から後方に向かって延出し、前記ユニットケース（２１）の下面（２２ｃ）を支持する下側規制部（３２）と、前記カバー側視認部（３０ｂ）の上方位置から後方に向かって延出し、該ユニットケース（２１）の上面（２３ｂ）に当接して当該ユニットケース（２１）の上方への移動を規制する上側規制部（３０ｇ，３１）とを備えている。
【００１１】
なお、前記装飾カバー（３０）は、前記カバー側視認部（３０ｂ）を挟む両側に、後方に向けて突出する一対の突部（３０ｄ，３０ｄ）を備え、前記ユニットケース（２１）は、前記一対の突部（３０ｄ，３０ｄ）と前後に整列する位置に、該突部（３０ｄ，３０ｄ）を挿入可能な凹部（２２ｄ，２２ｄ）を有し、前記装飾カバー（３０）の後側に前記ユニットケース（２１）を取り付けた際に、前記各突部（３０ｄ，３０ｄ）の後端部が前記凹部（２２ｄ，２２ｄ）の奥側に当接するよう構成されている。
【００１２】
【作用】
本発明の遊技機では、補助遊技装置の表示部を視認させ得るケース側視認部をカバー側視認部に整合させた状態で、装飾カバーの裏側に取付手段を介してユニットケースを取り付け、その後に固定手段を介して装飾カバーを装飾部材に取り付けるよう構成したから、装飾カバーを装飾部材から取り外し、装飾カバーからユニットケースを取り外して交換することで、前記補助遊技装置を交換することができ、前記装飾部材ごと交換する必要がなくなるので、前記補助遊技装置の交換作業に係るコストおよび廃棄物を低減することが可能となる。また、前記補助遊技装置を前記ユニットケースに収容してユニット化してあるので、該補助遊技装置を装飾カバー（装飾部材）に対して着脱する際の作業性が向上する。更に、前記ユニットケースを装飾カバーに取り付けるようにしたから、常にはケース側視認部とカバー側視認部とを正確に整合させることができ、外部から補助遊技装置の表示部を明確に視認することができる。
【００１３】
そして、前記ユニットケースにケース側視認部としての第１の開口部を開設すると共に、前記装飾カバーの当接面にカバー側視認部としての第２の開口部を開設し、該第２の開口部の内部輪郭に沿って形成した突片部を第１の開口部の内側面に当接させることにより、当該装飾カバーに対してユニットケースを容易に位置決めすることができる。また、前記補助遊技装置の後部に設けた接続部を、前記ユニットケースおよび装飾部材の後側に対応的に設けた開放部を介して外部に露出させることで、該接続部への配線の接続が容易になると共に、該配線の取り回しが容易となる。更に、ユニットケースを透明部材で形成することにより、該ユニットケースを分解することなくケース内部に収容した補助遊技装置を外部から視認でき、該補助遊技装置の点検や動作確認等の作業性が向上する。更にまた、装飾カバーに下側規制部と上側規制部とを形成することで、ユニットケースの上下方向の移動は規制されるから、装飾カバーにユニットケースを安定して取り付けることが可能である。そして、装飾カバーに形成した突部をユニットケースの凹部に挿入したもとで、前記取付手段により取り付けるよう構成することで、より確実にユニットケースの上下および左右方向の移動を規制することができる。
【００１４】
【発明の実施の形態】
次に、本発明に係る遊技機につき、好適な実施例を挙げて添付図面を参照しながら、以下詳細に説明する。本実施例では、遊技機としてパチンコ球を遊技媒体として使用するパチンコ機に、主たる遊技演出を行なう図柄表示装置として液晶式の図柄表示装置を配設し、補助的な遊技演出を行なう補助遊技装置としてベルト式の図柄表示装置（ベルト式図柄表示装置）を配設した場合について例示する。
【００１５】
（パチンコ機について）
先ず、実施例に係るパチンコ機の概略構成について、図２を参照して説明する。本実施例のパチンコ機Ｐは、外枠Ａの開口前面側に対して中枠Ｂが、連結支持手段Ｎおよび施錠手段Ｓを利用して着脱および開放可能に組付けられている。そして、中枠Ｂに横開き式のガラス扉Ｄを組付けた前枠Ｃと、前枠Ｃの下部において中枠Ｂに対して着脱および開放可能に組付けられる開閉セット板の前側にセットされた上球皿Ｅおよび後側にセットされた電動式の球送り装置（図示せず）と、下段に位置する下球皿Ｆおよび打球発射装置Ｈと、後側に位置する機構セット盤（図示せず）等が夫々装備されている一方、所要の遊技領域Ｉを構成した遊技盤Ｊが着脱交換可能にセットされる。なお、以下の説明において前，後および左，右とは、図２に示すようにパチンコ機Ｐの遊技盤Ｊを前側から見た場合において指称するものとする。
【００１６】
前記遊技盤Ｊは、図２に示すように、略円形状に湾曲形成したレール１０により囲まれた遊技領域Ｉの前側において、縦央やや下部に配設されて球をスイッチで検出し得る始動入賞具１１と、この始動入賞具１１の直上方に配設されて該遊技盤を装飾する装飾部材２７と、風車とも称されて遊技球の落下方向を変向する普通案内車１３と、始動入賞具１１の直下方に設置された大型電動式の入賞装置Ｍ等が配設される。また、前記始動入賞具１１内に配設された図示しないスイッチは、各遊技球の検出毎に図柄表示装置Ｋを１回ずつ変動開始させるための始動入力手段として利用される。なお、図２において符号１６はアウト口を示す。
【００１７】
前記入賞装置Ｍは、前記図柄表示装置Ｋの大当り成立時における特別遊技として開成作動条件が付与される大型の入賞装置であって、図２に示されるように、特別入賞具１７に対設された扉状の開閉板１８が、後側の電磁ソレノイド（図示せず）に係る設定駆動条件に基づいて、通常の閉鎖状態から開放状態に変化されるようになっている。なお、入賞装置Ｍの左右両側に普通入賞具１９，１９が設けられている。
【００１８】
（装飾部材について）
前記装飾部材２７には、図１，図２または図６に示すように、略矩形状で前後に開放する可視表示部１４が開設されており、該可視表示部１４を介して、前記遊技盤Ｊの後側から前記図柄表示装置Ｋが臨んでいる。更に、前記装飾部材２７には、図１または図６に示すように、前記可視表示部１４の上方の隣接位置に、略矩形状で前後に開放する収納部２５が開設されており、該収納部２５に後述するユニットケース２１が収納保持されている。なお、前記収納部２５の後方開口部２５ａは、前記ユニットケース２１における後述のコネクタ部（接続部）３３ａや放熱口２３ｄを外部（後側）に露出させる開放部として機能している。また、前記装飾部材２７における収納部２５の左右両側部に規制部２６，２６が夫々形成されて、該規制部２６，２６に前記ユニットケース２１の係合部２２ｂ，２２ｂ（後述）が当接するようになっている（図６参照）。
【００１９】
図１または図６に示すように、前記装飾部材２７における前記収納部２５の上側に位置する上板２８および前記規制部２６，２６には、後述する装飾カバー３０を固定する固定部として機能し、前方に向かって突出して前端面にネジ孔２７ｂを有する突起部２７ａ，２７ａ，２７ａが夫々形成されている。また、前記上板２８における左右方向に離間する位置には、前方に向かって突出する筒状に形成された筒状部２９，２９が形成されており、各筒状部２９の内部にＬＥＤ等の発光体２９ａ（図６参照）が対応的に配設され、図柄表示装置Ｋやベルト式図柄表示装置２０での遊技演出に合わせて発光体２９ａを点灯または消灯するよう構成される。
【００２０】
（ユニットケースについて）
補助的な演出を行なう前記ベルト式図柄表示装置２０は、図４または図５に示すように、ユニットケース２１の右側前方に回転可能に配設される駆動プーリ（駆動回転体）３６と、該駆動プーリ３６から左方向に所要間隔離間して回転可能に配設される従動プーリ（従動回転体）３７と、両プーリ３６，３７の外周に展張状態で巻装されて表面に各種図柄を表示した図柄ベルト（表示部）３５と、該図柄ベルト３５の周回領域より外方かつ後方に位置し、駆動プーリ３６の回転および停止を行なう駆動モータ３８と、駆動プーリ３６および従動プーリ３７の間に配設されて図柄ベルト３５を内側から照明する照明装置３９と、駆動モータ３８および照明装置３９を電気的に接続するコネクタ部３３ａを配設した配線基板３３から構成され、該ベルト式図柄表示装置２０が略矩形箱体状のユニットケース２１内に収容されている。なお、ユニットケース２１の前面２１ａには、第１の開口部（ケース側視認部）２１ｂが開口しており、該第１の開口部２１ｂに前記図柄ベルト３５が臨んでケース前側から該図柄ベルト３５に表示した各種図柄を視認し得るようになっている（図１参照）。
【００２１】
図４に示すように、前記ユニットケース２１は、上下に着脱可能に分離する下ケース体２２および上ケース体２３とから形成され、該下ケース体２２に、前記駆動プーリ３６や従動プーリ３７および駆動モータ３８が配設される（図５参照）。また、前記上ケース体２３の上面板（上面）２３ｂおよび後面板２３ｃにおいて、前記下ケース体２２に配設した前記駆動モータ３８と対応する箇所（上方側）に複数の放熱口２３ｄが形成されて、該駆動モータ３８が発する熱をケース外方に放出するようになっている。
【００２２】
そして、前記下ケース体２２における左右両側面の上端縁に、外側に向かって延出する第１フランジ部２２ａ，２２ａが、該下ケース体２２の前後方向の略全長に亘って延在するよう形成されている。更に、前記上ケース体２３における左右両側面の下端縁には、外側に向かって延出する第２フランジ部２３ａ，２３ａが、該上ケース体２３の前後方向に延在するよう形成されている。そして、前記第１および第２フランジ部２２ａ，２３ａを対向当接した状態で、両者２２ａ，２３ａをネジ止め固定することで、上下のケース体２２，２３が連結固定される。なお、前記第１の開口部２１ｂは、前記上下のケース体２２，２３を連結した際に前側に開口するよう構成される。図１または図４に示すように、前記下ケース体２２における前記第１フランジ部２２ａ，２２ａの下部前側には、前記係合部２２ｂ，２２ｂが夫々形成されており、前記ユニットケース２１を前記収納部２５に前側から収納した際に、各係合部２２ｂが、前記装飾部材２７に設けた前記規制部２６に対応的に当接して該ユニットケース２１の後方移動を規制している。なお、前記係合部２２ｂ，２２ｂの夫々には、前記装飾カバー３０に形成された突部３０ｄ，３０ｄ（後述）と前後に整列する位置に、該突部３０ｄ，３０ｄを挿入可能な凹部２２ｄ，２２ｄが前側に開口している。また、前記係合部２２ｂ，２２ｂにおける突部３０ｄ，３０ｄと対向する後壁２２ｅ（図３参照）には、前後に貫通する通孔（図示せず）を穿設してある。
【００２３】
図３に示すように、前記ユニットケース２１の後側は、前記上ケース体２３の後面板２３ｃにより覆蓋され、該後面板２３ｃにおける左側部位（図３においては右側）は、前側に向かって所要量だけ退避した段状に形成されており、この段状の部分を除く該後面板２３ｃの右側下部が前記下ケース体２２に当接するようになっている。一方、前記後面板２３ｃの左側下部は、前記下ケース体２２の底面板２２ｃから上方に離間位置して、該後面板２３ｃの下方から前記配線基板３３の一部が後方に突出している。すなわち、図３に示すように、前記上ケース体２３の後面板２３ｃにおける左側下部と、前記下ケース体２２の底面板２２ｃとの間にスリット状の挿通孔（開放部）２４が形成されて、該挿通孔２４を介して前記配線基板３３の一部が前記ユニットケース２１の外方に突出している。そして、この配線基板３３における前記ユニットケース２１から突出する部位には、前記コネクタ部３３ａが設けられて、該コネクタ部３３ａがユニットケース２１の外部に位置している。なお、前記コネクタ部３３ａは、前記上ケース体２２における後面板２３ｃの左側部位に近接する位置に設けられており、前記後面板２３ｃより後方に突出しないよう設定される。
【００２４】
（装飾カバーについて）
図１または図３に示すように、前記装飾部材２７における前記収納部２５の前側には、ユニットケース２１が固定されると共に、パチンコ機Ｐを装飾する装飾カバー３０が配設される。前記装飾カバー３０は、前記ユニットケース２１の前面２１ａを略覆蓋する平板状の当接面３０ａと、該当接面３０ａにおける前記ユニットケース２１の第１の開口部２１ｂと対応する位置に開設された第２の開口部（カバー側視認部）３０ｂと、該第２の開口部３０ｂの内側輪郭に沿って形成され、当該当接面３０ａの後方側に向かって突出し、第１の開口部２１ｂの内側面に当接する突片部３０ｃ（図３または図７参照）とを備えている。なお、図１に示すように、前記装飾カバー３０には、該カバー３０を前記装飾部材２７に配設した際に、該装飾部材２７に形成した突起部２７ａ，２７ａ，２７ａにおけるネジ孔２７ｂ，２７ｂ，２７ｂの夫々に対応する位置に通孔３０ｆ，３０ｆ，３０ｆが形成されており、当該装飾カバー３０の前側から各通孔３０ｆに挿通した固定手段としてのネジ４３を対応する各該突起部２７ａのネジ孔２７ｂに夫々螺挿することで、装飾部材２７に装飾カバー３０が固定される。
【００２５】
また、前記装飾カバー３０の突片部３０ｃの外側輪郭形状と、前記ユニットケース２１における前記第１の開口部２１ｂの内側輪郭形状とが略一致するよう設定されている。従って、前記装飾カバー３０の当接面３０ａを前記ユニットケース２１の前面２１ａに当接させることで該ケース２１の前側への移動を規制すると共に、該ユニットケース２１における第１の開口部２１ｂの内側面に前記突片部３０ｃが当接して、ユニットケース２１の上下・左右方向の移動が規制されるようになっている。また、前記装飾カバー３０における前記第２の開口部３０ｂを挟む左右両側には、前記ユニットケース２１の凹部２２ｄ，２２ｄに挿入可能な前記突部３０ｄ，３０ｄが後方に向けて夫々突設されて、その後端部には、前記係合部２２ｂ，２２ｂに形成した前記孔部に挿通した取付手段としてのネジ４１，４１を螺挿するネジ孔３０ｅ，３０ｅを形成してある。ここで、前記突部３０ｄ，３０ｄは、対応の前記ユニットケース２１の凹部２２ｄ，２２ｄに挿入した際に、ユニットケース２１の前面２１ａが当接面３０ａに当接すると共に、突部３０ｄの後端部が凹部２２ｄの奥側に当接するよう構成される。
【００２６】
また、図３に示すように、前記装飾カバー３０における前記第２の開口部３０ｂの下方位置には、後方に向かって延出し、前記ユニットケース２１の下面を支持する下側規制部３２が形成される。すなわち、前記下側規制部３２は、前記当接面３０ａの下端縁から後方に向かって延出するよう構成される。更に、前記第２の開口部３０ｂの上方位置には、後方に向かって延出する上側規制部３０ｇ，３１が形成されており、該上側規制部３０ｇ，３１が該ユニットケース２１の上面板２３ｂに当接して当該ユニットケース２１の上方への移動を規制している。ここで、前記上側規制部３０ｇ，３１は、図３に示すように、前記装飾カバー３０の左右方向の略中央位置に配設されて光透過性を有するランプカバー３１と、該装飾カバー３０におけるランプカバー３１を挟む左右両側において左右方向に延在するよう突設した規制片（第２の突片部）３０ｇ，３０ｇとから構成される。なお、ランプカバー３１の下端部および規制片３０ｇ，３０ｇの下端部は、略同一直線上に位置するようになっている。また、前記装飾カバー３０における前記装飾部材２７の各筒状部２９と前後に整列する前側には、前記発光体２９ａからの光を透過させる開口部３０ｈが夫々形成されており、両開口部３０ｈ，３０ｈの後方に前記ランプカバー３１が位置している。
【００２７】
【実施例の作用】
次に、本実施例に係る遊技機の作用につき説明する。前記ベルト式図柄表示装置２０を装飾部材２７に配設する際には、該ベルト式図柄表示装置２０を収容したユニットケース２１を前記装飾カバー３０の後側に配置し、ユニットケース２１内の前記図柄ベルト３５を視認可能な第１の開口部２１ｂと、装飾カバー３０に形成した第２の開口部３０ｂとを整合させた状態で、該ユニットケース２１の前記後壁２２ｅに形成した通孔の後側から、ネジ４１，４１を装飾カバー３０に形成したネジ孔３０ｅに螺挿することで、当該ユニットケース２１を装飾カバー３０にネジ止めする。そして、ユニットケース２１を装飾部材２７の前記収納部２５に前側から収納すると共に、装飾カバー３０を装飾部材２７の前側に位置決めしたもとで、該装飾カバー３０をネジ４３，４３，４３により装飾部材２７に前側からネジ止め固定する。従って、前記ベルト式図柄表示装置２０を交換するに際しては、前側からネジ４３を取り外すと共に前記装飾カバー３０を装飾部材２７から前側から取り出し、更にネジ４１を取り外して該装飾カバー３０とユニットケース２１とを取り外すようにすれば、前記装飾部材２７ごと交換することなくベルト式図柄表示装置２０を交換でき、該ベルト式図柄表示装置２０の交換作業に係るコストおよび廃棄物を低減することが可能となる。
【００２８】
また、前記ベルト式図柄表示装置２０は、前記ユニットケース２１に収容されて単一のユニットとして取り扱い得るようになっているから、該ベルト式図柄表示装置２０を装飾カバー３０に対して着脱する際の作業性が向上する。そして、前記ユニットケース２１を装飾部材２７に配設するに際して、予めネジ４１により装飾カバー３０に強固に固定するようにしたから、前記装飾カバー３０を装飾部材２７に取り付けた後にも該ユニットケース２１における第１の開口部２１ｂと装飾カバー３０における第２の開口部３０ｂとがずれるのは防止され、前記ベルト式図柄表示装置２０の図柄ベルト３５を外部の遊技者に明確に視認させることができる。
【００２９】
また、前記装飾カバー３０の当接面３０ａに前記ユニットケース２１の前面２１ａを当接した際に、該装飾カバー３０に形成した突部３０ｄ，３０ｄがユニットケース２１の凹部２２ｄ，２２ｄに挿入されて当該ユニットケース２１が位置決めされるので、両部材２１，３０をネジ４１により容易にネジ止めできる。このとき、前記各突部３０ｄの後端面が係合部２２ｂの後壁２２ｅに当接するようにしたから、ユニットケース２１の前面２１ａが当接面３０ａから浮くことはなく、安定して組付け得る。更に、前記装飾カバー３０に形成した下側規制部３２および上側規制部３０ｇ，３１により、ユニットケース２１の上下方向の移動は確実に防止されるから、より確実にユニットケース２１と装飾カバー３０を組付けることが可能である。そして、前記ユニットケース２１における第１の開口部２１ｂを画成する内側面に、前記装飾カバー３０の突片部３０ｃが当接するので、該ユニットケース２１の上下および左右方向への移動を規制して位置決めし得る。また、前記第１の開口部２１ｂを画成する内側面を突片部３０ｃで被覆しているので、該内側面が遊技者から直接見えることはなく、パチンコ機Ｐの外観が損なわれることはない。
【００３０】
更に、前記ユニットケース２１の後部に形成した挿通孔２４から前記ベルト式図柄表示装置２０の配線基板３３の一部を外部に突出させ、この配線基板３３の突出部位にコネクタ部３３ａを設けてある。更に、前記ユニットケース２１を収納する収納部２５は、前記装飾部材２７の前後に開放しているので、該ユニットケース２１を収納部２５に収納した際に、収納部２５の後方開口部２５ａを介して前記コネクタ部３３ａおよび放熱口２３ｄは装飾部材２７（遊技盤Ｊ）の後側（外部）に露出する。従って、前記コネクタ部３３ａを介して、前記ベルト式図柄表示装置２０と該ベルト式図柄表示装置２０の制御装置とを簡単に接続することができる。更に、ユニットケース２１を透明部材で形成したことで、該ユニットケース２１を分解することなくケース内部に収容したベルト式図柄表示装置２０を外部から視認でき、該ベルト式図柄表示装置２０の点検や動作確認等の作業性が向上する。更にまた、駆動モータ３８を前記ユニットケース２１における前記図柄ベルト３５の周回領域より外方かつ後方に配置したことにより、装飾カバー３０を装飾部材２７から取り外すだけで該駆動モータ３８の状態を確認することもでき、作業者の負担がより軽減される。
【００３１】
【付記】
本発明の具体的構成としては、以下のような限定が可能である。
１．前記ベルト式図柄表示装置２０は、回転可能に設けられる駆動プーリ３６と、前記プーリ３６から所要距離離間する位置に回転可能に設けられる従動プーリ３７と、前記駆動プーリ３６および従動プーリ３７の外周に展張状態で巻装され、各種図柄を表示する表示部としての図柄ベルト３５と、前記図柄ベルト３５の周回領域より外方に位置し、駆動プーリ３６の回転および停止を行なう駆動モータ３８と、駆動プーリ３６および従動プーリ３７の間に配設されて、図柄ベルト３５を内側から照明する照明装置３９と、前記駆動モータ３８および照明装置３９が電気的に接続される配線基板３３とから構成される。
２．前記上側規制部２８，３１ｇは、前記装飾カバー３０の左右方向の略中央位置に配設したランプカバー２８と、該装飾カバー３０における該ランプカバー２８を挟む左右両側に左右方向に延在するよう突設した規制片３１ｇ，３１ｇとから構成される。
３．前記下側規制部３２は、前記装飾カバー３０の下端縁から後方方に向かって延出するよう形成される。
【００３２】
【変更例】
実施例では、補助遊技装置を収容したユニットケースの前側に配設した装飾カバーを装飾部材にネジ止めすることで、該ユニットケースを装飾部材に取り付けるようにしたが、該装飾カバーを固定する固定手段としては、これに限らず従来公知の各種手段を採用することができる。例えば、前記装飾カバーに係止フックを形成すると共に、装飾部材における該係止フックの対応箇所に当該係止フックと係脱可能に係合する孔部を形成し、係止フックと孔部とを介して装飾部材に装飾カバーを取り付けることで、該ユニットケースを装飾部材に取り付け固定することも可能である。また、ユニットケースを装飾カバーに取り付ける取付手段としても、実施例の如くネジに限られるものではなく、同様に係止フックと孔部とによりユニットケースを装飾カバーに取り付けることも可能である。更に、前記装飾部材の上方位置に、前記ユニットケースを収納する収納部を形成するようにしたが、これに限られず、該装飾部材の所要箇所に収納部を形成すればよい。
【００３３】
前記収納部を前記装飾部材の前後に開放させ、該収納部を前記ユニットケースの後側に露出するコネクタ部を装飾部材の外側に露出させる開放部として機能するよう構成したが、これに限られるものではない。すなわち、前記収納部は、少なくとも前記ユニットケースを収納し得る開口と、前記コネクタ部を装飾部材の外側に露出させる開放部とを備えていればよい。また、前記ユニットケースにケース側視認部として開設した第１の開口部と、前記装飾カバーにカバー側視認部として開設した第２の開口部とを介して、図柄ベルトの図柄を外部に表示するようにしたが、該図柄ベルトの図柄を外部から視認し得るものであれば、例えば第１の開口部および第２の開口部に透明板を配設するようにしてもよい。
【００３４】
また、実施例では、補助遊技装置としてベルト式図柄表示装置を採用したが、これに限られるものではなく、ドラム式や小型の液晶式等の種々の遊技装置を配設することが可能である。また、主たる遊技演出を行なう図柄表示装置として、液晶式のものを採用したが、その他ドラム式やベルト式、ドット表示式等の図柄表示装置を採用することもできる。なお、遊技機としてはパチンコ機に限られず、主たる遊技演出を行なう図柄表示装置と、該図柄表示装置と関連して補助としての遊技演出を行なう補助遊技装置とを前記装飾部材に設けた遊技機であれば、スロットマシン機やパチンコ式スロットマシン機等、何れのものであってもよい。
【００３５】
【発明の効果】
以上に説明したように、請求項１に係る遊技機によれば、補助遊技装置の表示部を視認させ得るケース側視認部をカバー側視認部に整合させた状態で、装飾カバーの裏側に取付手段を介してユニットケースを取り付け、その後に固定手段を介して装飾カバーを装飾部材に取り付けるよう構成したから、装飾カバーを装飾部材から取り外し、装飾カバーからユニットケースを取り外して交換することで、前記補助遊技装置を交換することができ、前記装飾部材ごと交換する必要がなくなるので、前記補助遊技装置の交換作業に係るコストおよび廃棄物を低減することが可能となる。また、前記補助遊技装置を前記ユニットケースに収容してユニット化してあるので、該補助遊技装置を装飾カバー（装飾部材）に対して着脱する際の作業性が向上する。更に、前記ユニットケースを装飾カバーに取り付けるようにしたから、常にはケース側視認部とカバー側視認部とを正確に整合させることができ、外部から補助遊技装置の表示部を明確に視認することができる。
【００３６】
そして、請求項２に係る遊技機によれば、前記ユニットケースにケース側視認部としての第１の開口部を開設すると共に、前記装飾カバーの当接面にカバー側視認部としての第２の開口部を開設し、該第２の開口部の内部輪郭に沿って形成した突片部を第１の開口部の内側面に当接させることにより、当該装飾カバーに対してユニットケースを容易に位置決めすることができる。また、請求項３に係る遊技機によれば、前記補助遊技装置の後部に設けた接続部を、前記ユニットケースおよび装飾部材の後側に対応的に設けた開放部を介して外部に露出させることで、該接続部への配線の接続が容易になると共に、該配線の取り回しが容易となる。
【００３７】
更に、請求項４に係る遊技機によれば、ユニットケースを透明部材で形成することにより、該ユニットケースを分解することなくケース内部に収容した補助遊技装置を外部から視認でき、該補助遊技装置の点検や動作確認等の作業性が向上する。更にまた、請求項５に係る遊技機によれば、装飾カバーに下側規制部と上側規制部とを形成することで、ユニットケースの上下方向の移動は規制されるから、装飾カバーにユニットケースを安定して取り付けることが可能である。そして、請求項６に係る遊技機によれば、装飾カバーに形成した突部をユニットケースの凹部に挿入したもとで、前記取付手段により取り付けるよう構成することで、より確実にユニットケースの上下および左右方向の移動を規制することができる。
【図面の簡単な説明】
【図１】本発明の実施例に係る装飾部材、ユニットケースおよび装飾カバーを分解した状態で示す斜視図である。
【図２】実施例に係るパチンコ機を示す正面図である。
【図３】実施例に係る装飾カバーおよびユニットケースを示す斜視図である。
【図４】実施例に係るユニットケースの上ケース体を取り外した状態を示す斜視図である。
【図５】実施例に係るユニットケースの上ケース体を取り外した状態を示す平面図である。
【図６】実施例に係る装飾部材を示す正面図である。
【図７】実施例に係る装飾カバーの縦断側面図である。
【符号の説明】
１４  可視表示部
２０  ベルト式図柄表示装置（補助遊技装置）
２１  ユニットケース
２１ａ  前面
２１ｂ  第１の開口部（ケース側視認部）
２２ｃ  底面板（下面）
２２ｄ  凹部
２３ｂ  上面板（上面）
２４  挿通孔（開放部）
２５ａ  後方開口部（開放部）
２７  装飾部材
３０  装飾カバー
３０ａ  当接面
３０ｂ  第２の開口部（カバー側視認部）
３０ｃ  突片部
３０ｄ  突部
３０ｇ  規制片（上側規制部）
３１  ランプカバー（上側規制部）
３２  下側規制部
３３ａ  コネクタ部（接続部）
４１  ネジ（取付手段）
４３  ネジ（固定手段）
Ｊ  遊技盤
Ｋ  図柄表示装置
【図１】
2004344412.tif 000003
【図２】
2004344412.tif 000004
【図３】
2004344412.tif 000005
【図４】
2004344412.tif 000006
【図５】
2004344412.tif 000007
【図６】
2004344412.tif 000008
【図７】
2004344412.tif 000009